(57)【要約】  独立して調光可能な複数の発光素子を有する映像表示装置を提供する。映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
2017038081.tif 000002
【特許請求の範囲】
【請求項１】
映像信号に基づいて映像を表示する表示パネルと、
前記表示パネルの背面側に配置される光源基板と、
前記光源基板の前記表示パネル側の面に取り付けられ、前記表示パネルに光を照射する複数の発光素子と、
互いに隣り合う前記発光素子の間を仕切り前記表示パネルに向かって膨出する隔壁部が形成され、前記光源基板の前記表示パネル側の面を前記発光素子を避けて覆う反射シートと、
前記隔壁部により囲まれる前記光源基板の前記表示パネル側の面に取り付けられ、複数の前記発光素子の各々を駆動するドライバ素子と、を備える、
映像表示装置。
【請求項２】
前記反射シートは、ポリプロピレンにより形成される、
請求項１に記載の映像表示装置。
【請求項３】
前記隔壁部は、頂上部から前記光源基板に向かって徐々に間隔が拡がる二つの傾斜面部を備え、
一方の前記傾斜面部に対する他方の前記傾斜面部の角度は、４５度より大きく、５５度以下の範囲から選定される、
請求項１に記載の映像表示装置。
【請求項４】
当該映像表示装置は、複数の前記光源基板を備え、
複数の前記光源基板は、第一方向に沿って配列され、かつ、前記第一方向に直交する第二方向に沿って配列され、
１枚の前記反射シートは、複数の前記光源基板を覆う、
請求項１に記載の映像表示装置。
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。【０００３】
特許文献１は、ローカルディミングに関する技術を開示する。ローカルディミングとは、表示パネルを複数の領域に分け、各領域に対応して配置された複数の光源を、表示パネルの各領域に映し出される映像の明るさに応じて調光する技術である。この技術により、１画面内の映像のコントラストを向上させることができる。光源には、例えばＬＥＤ（Ｌｉｇｈｔ  Ｅｍｉｔｔｉｎｇ  Ｄｉｏｄｅ：発光ダイオード）等の発光素子が用いられる。
【先行技術文献】
【特許文献】
【０００４】
【特許文献１】特開２０１４−４１８３０号公報
【発明の概要】
【０００５】
ローカルディミングが行われる映像表示装置において、互いに独立して調光可能な発光素子の数を増やすことは、映像に基づくバックライトの部分的な制御をよりきめ細かく行うことが可能になるので、１画面内でのコントラストを精度良く高めるために有効である。
【０００６】
しかしながら、多数の発光素子が互いに独立して調光される映像表示装置では、多数の発光素子に対応した多数の基板や多数のケーブルが必要となる。そして、それらの増加は、映像表示装置の小型化、薄型化の障害となったり、映像表示装置の組み立てコストを増加させたりする可能性がある。
【０００７】
本開示は、互いに独立して調光することができる複数の発光素子を有し、装置の小型化、薄型化、および組み立てコストの軽減が可能な映像表示装置を提供する。
【０００８】
本開示の一態様における映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【０００９】
本開示における映像表示装置では、反射シートは、互いに隣り合う発光素子の間を仕切る中空の隔壁部を備えており、隔壁部内にドライバ素子を格納しているため、ドライバ素子と反射シートとが干渉して輝度むらが発生することを防止できる。また、隔壁部内の空間にドライバ素子が格納されるので、隔壁部により形成される空間を有効に活用することができる。また、隔壁部によって、互いに隣り合う発光素子から照明される光の重なりが低減されるので、より正確な輝度で表示パネルを照明できる。
【図面の簡単な説明】
【００１０】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板の構成の一例を模式的に示す平面図である。
【図４】図４は、実施の形態１における映像表示装置が備える反射シートの形状の一例を模式的に示す斜視図である。
【図５】図５は、実施の形態１における映像表示装置が備える隔壁部を延伸方向に対して垂直な面で切断した状態を模式的に示す断面図である。
【図６】図６は、実施の形態１における映像表示装置が備えるフラッタの形状の一例を模式的に示す平面図である。
【図７】図７は、実施の形態１の映像表示装置における光源基板への反射シートの取り付け例を模式的に示す斜視図である。
【図８】図８は、実施の形態１の映像表示装置における光源基板、反射シート、およびフラッタを含む部材の配置の一例を模式的に示す断面図である。
【図９】図９は、実施の形態１の映像表示装置における光源基板、反射シート、およびフラッタを含む部材の配置の一例を模式的に示す断面図である。
【図１０】図１０は、実施の形態２における映像表示装置において光源基板に設けられるコネクタの配置の一例を模式的に示す平面図である。
【図１１】図１１は、実施の形態２における映像表示装置においてバックライトを構成する複数の光源基板の接続の一例を模式的に示す平面図である。
【発明を実施するための形態】
【００１１】
本実施の形態における映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【００１２】
このような構成によれば、１つの光源基板に複数の発光素子と複数のドライバ素子とが搭載され、ドライバ素子が反射シートの隔壁部内に収容されるので、映像表示装置において、光の輝度むらを低減でき、装置の小型化、薄型化、および組み立てコストの軽減が可能になる。ここで、発光素子としては、ＬＥＤ（Ｌｉｇｈｔ  Ｅｍｉｔｔｉｎｇ  Ｄｉｏｄｅ）を例示することができる。
【００１３】
また、映像表示装置は、光源基板上に設置され、互いに隣り合う発光素子の間を仕切る中空の隔壁部が形成された反射シートをさらに備えてもよい。ドライバ素子は、反射シートの隔壁部内に格納されていてもよい。
【００１４】
このような構成によれば、互いに隣り合う領域が隔壁部によって隔てられるので、互いに隣り合う発光素子によって照明される領域間での相互の光漏れが低減される。これにより、各領域の発光素子による明るさの精度をより高めることができるので、より正確な輝度で液晶表示パネルを照明できる。また、中空の隔壁部内にドライバ素子が格納されるので、ドライバ素子と反射シートとが干渉して輝度むらが発生することを防止できる。このように、この映像表示装置では、隔壁部内の空間を有効に活用して、ドライバ素子を光源基板に搭載することができる。
【００１５】
また、隔壁部は、互いに隣り合う発光素子によって照明される領域の境界上に、その境界上の一部を除外して形成されてもよい。光学シートを支持するサポートピンは、反射シートにおける隔壁部の形成が除外された部分を貫通して、ベースプレートに取り付けられてもよい。
【００１６】
このような構成によれば、サポートピンにより、光学シートを、反射シートの前面側の所定の位置に支持することができる。その際、サポートピンが、発光素子によって照明される領域の境界上に設けられるので、領域内にはサポートピンの影が出にくく、サポートピンが領域内での輝度低下や輝度むらの原因になることを防止できる。また、サポートピンが、発光素子に相対的に近く相対的に明るい当該境界の略中央部分に設けられることにより、発光素子から相対的に遠く相対的に暗い当該境界の端部にサポートピンが設けられる場合と比べて、サポートピンによる輝度低下を目立ちにくくすることもできる。
【００１７】
また、光源基板は、信号または電力を分配するための複数のコネクタを互いに異なる位置に有していてもよい。
【００１８】
このような構成によれば、光源基板において、例えば、他の部材が配置されているために使用できないコネクタを避けて他の使用可能なコネクタを使用する等、他の部材の配置位置等に応じて適切にコネクタを選択して使用することができる。したがって、この映像表示装置では、例えば、ベースプレートに複数の光源基板を取り付けるときに、その取り付け位置によって使用可能なコネクタが異なっている場合でも、互いに同じ構成の複数の光源基板を用いることができる。これにより、基板の共通化によるコスト削減を図ることができる。
【００１９】
また、光源基板は、信号および電力の少なくとも一方が入力される入力コネクタと、入力された信号および電力の少なくとも一方をスルー出力する出力コネクタとを有してもよい。映像表示装置は、複数の光源基板を備え、複数の光源基板のうち第１の光源基板の出力コネクタと第２の光源基板の入力コネクタとが、互いに接続されてもよい。
【００２０】
このような構成によれば、複数の光源基板を互いに電気的に連結（カスケード接続）することにより、接続に必要なケーブルを削減することができる。
【００２１】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２２】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２３】
なお、添付図面および以下の説明は、当業者が本開示を十分に理解するために提供されるのであって、これらにより特許請求の範囲に記載の主題を限定することは意図されていない。
【００２４】
また、各図は、模式図であり、必ずしも厳密に図示されたものではない。また、各図において、実質的に同じ構成要素については同じ符号を付し、説明を省略または簡略化する場合がある。
【００２５】
（実施の形態１）
以下、図１〜図９を参照しながら実施の形態１における映像表示装置１について説明する。なお、本実施の形態では、図面にＸ軸、Ｙ軸、Ｚ軸の３軸を示し、表示パネルの長辺に平行な方向の軸をＸ軸、表示パネルの短辺に平行な方向の軸をＹ軸、Ｘ軸Ｙ軸の双方に直交する軸をＺ軸とする。しかし、これらの軸は便宜的に示したものに過ぎず、何ら本開示を限定するものではない。
【００２６】
［１−１．構成］
実施の形態１における映像表示装置１は、液晶の表示パネルと、その表示パネルを背面から照明するための光源基板と、を備える。映像表示装置１は、映像表示装置の一例である。光源基板には、各々が表示パネルの互いに異なる領域に対応して設けられた複数の発光素子と、複数の発光素子の各々を、制御信号によって表される明るさ（映像の対応領域内の明るさ）に応じた輝度で発光するように駆動（調光）するドライバ素子と、が搭載される。なお、映像の対応領域内の明るさとは、１つの発光素子（または、一箇所に配置された発光素子）が照明する表示パネルの領域（すなわち、その発光素子に対応する領域）における映像の明るさ（映像の部分的な明るさ）のことである。
【００２７】
図１は、実施の形態１における映像表示装置１の外観の一例を模式的に示す図である。
【００２８】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００２９】
図２は、実施の形態１における映像表示装置１の構成の一例を模式的に示す分解斜視図である。
【００３０】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略する。
【００３１】
ベースプレート１０は、光源基板２０、接続端子基板９１、信号処理基板９２、および電源基板９３を取り付ける基台である。ベースプレート１０は、例えば、板金で形成されるが、他の材料で形成されてもよい。ベースプレート１０には、ねじ穴や、後述する開口、等が設けられている。
【００３２】
光源基板２０は、表示パネル７０を照明するバックライトモジュールである。光源基板２０は、複数の発光素子と、複数の発光素子の各々を駆動する複数のドライバ素子と、を備える。それらは、光源基板２０の同一の面に搭載されている。複数の光源基板２０は、互いに同じ形であってもよい。光源基板２０の詳細は後述する。
【００３３】
映像表示装置１は、複数の光源基板２０を、同一面内にマトリクス状に配置された状態で備えている。これら複数の光源基板２０の各々は、ベースプレート１０の前面（表示パネル７０側の面）に取り付けられている。具体的には、各光源基板２０は、ベースプレート１０の前面に、第一方向に沿って配列され、かつ第一方向に直交する第二方向に沿って配列されている。映像表示装置１では、これら複数の光源基板２０により、表示パネル７０を照明するバックライトが構成される。
【００３４】
なお、第一方向は、表示パネル７０の長辺に並行な方向であってもよく、第二方向は、表示パネル７０の短辺に並行な方向であってもよい。また、それらは互いに逆であってもよい。
【００３５】
反射シート３０は、光源基板２０の前面（表示パネル７０側の面）に設置され、開口を有し、その開口を貫通した発光素子（図３に示す光源基板２０の発光素子２１）から出射される光の一部を表示パネル７０に向けて反射するシートである。反射シート３０は、例えば、白色のポリプロピレンで形成されるが、白色の他の材料で形成されてもよい。反射シート３０には、互いに隣り合う発光素子の間を仕切る中空の隔壁部（図４参照）が、前面側（表示パネル７０側）に突出した形状で形成されている。したがって、発光素子の周囲は隔壁部によって囲まれ、各発光素子は、発光素子の周りの当該隔壁部で囲まれた領域を照明する。反射シート３０の詳細は後述する。
【００３６】
フラッタ４０は、発光素子によって照射される領域（反射シート３０の隔壁部で囲まれた領域）の輝度の均一性を向上させるために、反射シート３０の前面（表示パネル７０側の面）に設置された光学シートである。フラッタ４０は、発光素子から出射される光を一様に透過するのではなく、発光素子によって照明される領域内に、光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で形成されるが、他の材料で形成されてもよい。後述するように光源基板２０が備える発光素子はＬＥＤによる点光源のため、フラッタ４０がない場合、その発光素子が照明する領域内には輝度に偏り（輝度分布）が生じる。フラッタ４０は、その輝度分布を相殺するように設定された透過率の分布を有する。これにより、発光素子による領域内の輝度の均一性を向上することができる。フラッタ４０の詳細は後述する。
【００３７】
光学シート５０は、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、機能に応じた微細形状が表面に設けられて成形された合成樹脂で構成することができる。
【００３８】
モールドフレーム６０は、表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００３９】
表示パネル７０は、例えば、複数の液晶の画素がマトリクス状に配列されて構成された映像表示用の液晶表示パネルである。なお、表示パネル７０は、映像だけでなく画像（静止画）を表示することも可能である。
【００４０】
ベゼル８０は、表示パネル７０の外周を前面から支持する支持部材である。ベゼル８０は、例えば、金属で形成されるが、合成樹脂で形成されてもよい。
【００４１】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の発光素子の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００４２】
次に、光源基板２０について説明する。
【００４３】
図３は、実施の形態１における映像表示装置１が備える光源基板２０の構成の一例を模式的に示す平面図である。なお、図３には、光源基板２０の前面に配置された各部材の一例を示している。また、図３の一部には、視覚的にわかりやすくするために、便宜的に、個々の発光素子２１で照明される表示パネル７０の領域７１に対応する位置を破線で示している。
【００４４】
図３に示すように、光源基板２０には、複数の発光素子２１と複数のドライバ素子（第一ドライバ素子２３および第二ドライバ素子２２）とが同一の面（光源基板２０の前面）に搭載されている。なお、本実施の形態では、第一ドライバ素子２３および第二ドライバ素子２２を総称して、単にドライバ素子と呼ぶ場合もある。
【００４５】
発光素子２１の各々は、表示パネル７０の互いに異なる領域７１に対応して設けられている。本実施の形態における映像表示装置１では、発光素子２１に高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。したがって、高電圧ＬＥＤにおいて低電圧ＬＥＤと同じ発光輝度を得る場合には、高電圧ＬＥＤに流れる電流を、低電圧ＬＥＤに流れる電流よりも低く抑えることができる。したがって、映像表示装置１において複数の光源基板２０を互いに電気的に連結（カスケード接続）するような場合に、配線等で発生する熱を抑制することができ、光源基板２０に電力を供給する電源の負荷を軽減することが可能となる。
【００４６】
このように、光源基板２０では、ＬＥＤの駆動電流の増加を抑制しつつより高い発光輝度を得ることができるので、第一ドライバ素子２３および第二ドライバ素子２２での発熱を抑制することができる。したがって、発光素子２１としてのＬＥＤと、第一ドライバ素子２３および第二ドライバ素子２２とを、１つの光源基板２０上に搭載することが可能となる。
【００４７】
なお、高電圧ＬＥＤとは、例えば１０（Ｖ）以上、５０（Ｖ）以下の範囲の駆動電圧で駆動されるＬＥＤである。本実施の形態における映像表示装置１では、高電圧ＬＥＤとして、駆動電圧が２０（Ｖ）以上、４０（Ｖ）以下のＬＥＤが使用されてもよい。一方、低電圧ＬＥＤとは、駆動電圧が、例えば３（Ｖ）以上、６（Ｖ）以下の範囲のＬＥＤである。
【００４８】
発光素子２１は、光源基板２０の表面（前面）に、略均等に分散した状態で配置されている。したがって、発光素子２１は、光源基板２０がマトリクス状に配置されることで、表示パネル７０の表示領域の全体にわたって略均等に配置される。
【００４９】
本実施の形態における映像表示装置１では、領域７１は、表示パネル７０の表示領域を縦横に直交する境界で略均等に分割した矩形の範囲である。なお、本実施の形態では、表示パネル７０の長辺に平行な方向を横とし、表示パネル７０の短辺に平行な方向を縦とする。また、各発光素子２１は、それぞれの領域７１の中心に対応する位置に配置されるように、光源基板２０上にマトリクス状に配列されている。具体的には、各発光素子２１は、光源基板２０上に、第一方向に第一間隔で配列され、第一方向に直交する第二方向に第二間隔で配列されている。したがって、第一間隔は、領域７１の第一方向に平行な辺の長さと実質的に一致し、第二間隔は、領域７１の第二方向に平行な辺の長さと実質的に一致する。なお、第一方向は、例えば図３の横方向であり、第二方向は、例えば図３の縦方向である。なお、第一方向は、表示パネル７０の表示領域の１辺（例えば長辺）に並行な方向であってもよく、第二方向は、表示パネル７０の表示領域の他辺（例えば短辺）に並行な方向であってもよい。また、それらは互いに逆であってもよい。
【００５０】
第一ドライバ素子２３および第二ドライバ素子２２は、信号処理基板９２から供給される制御信号に基づき発光素子２１を駆動する半導体素子である。第一ドライバ素子２３および第二ドライバ素子２２には、各発光素子２１に対応する領域７１における映像の明るさを表す制御信号が、信号処理基板９２から供給される。そして、第一ドライバ素子２３および第二ドライバ素子２２は、発光素子２１の各々を、当該制御信号によって表される明るさに応じた輝度で発光するように駆動（調光）する。第一ドライバ素子２３および第二ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよく、または半導体集積回路（ＩＣ：Ｉｎｔｅｇｒａｔｅｄ  Ｃｉｒｃｕｉｔ）等であってもよい。
【００５１】
このように、本実施の形態における映像表示装置１は、ドライバ素子として、第一ドライバ素子２３と第二ドライバ素子２２とを備えている。なお、第二ドライバ素子２２は、個々の発光素子２１を調光するトランジスタであってもよい。第一ドライバ素子２３は、信号処理基板９２から供給される制御信号から第二ドライバ素子２２のゲート信号を生成する集積回路であってもよい。二種類のドライバ素子が、光源基板２０における発光素子２１が取り付けられている面に搭載されることにより、光源基板２０に多数の発光素子２１が取り付けられた場合でも、配線を単純化することが可能となる。また、複数の光源基板２０を互いに電気的に連結（カスケード接続）することも容易に実現できる。
【００５２】
第一ドライバ素子２３および第二ドライバ素子２２は、互いに隣り合う発光素子２１の間に配置されている。すなわち、第一ドライバ素子２３および第二ドライバ素子２２は、第一間隔および第二間隔の少なくとも一方の間、特に中点近傍、に配置されている。
【００５３】
本実施の形態における光源基板２０では、第一ドライバ素子２３は、第一間隔および第二間隔の中点、すなわち交差部、に配置されている。第二ドライバ素子２２は、第一間隔の中点近傍に配置されている。具体的には、第一ドライバ素子２３は、図３に一例を示すように、第一方向に隣り合って配置された発光素子２１の中点から第二方向に延伸する線と、第二方向に隣り合って配置された発光素子２１の中点から第一方向に延伸する線とが交差した点の近傍（交差部）に配置されている。第二ドライバ素子２２は、第一方向に隣り合って配置された発光素子２１の中点の近傍に配置されている。
【００５４】
なお、本実施の形態における映像表示装置１では、第一ドライバ素子２３および第二ドライバ素子２２は、図５に示す中空の隔壁部の背面側（隔壁部により形成される空間の内部）に配置される。すなわち、上述の近傍とは、隔壁部内の空間に納まる範囲のことである。
【００５５】
光源基板２０には、フラッタ４０を支持するサポートピンを立てるための開口２４、および光源基板２０をベースプレート１０にビス止めするためのビス孔２５、が設けられている。
【００５６】
光源基板２０では、第一ドライバ素子２３、第二ドライバ素子２２、開口２４、およびビス孔２５を、互いに隣接する領域７１の境界線上に配置している。このような配置による効果については後述する。
【００５７】
次に、反射シート３０について説明する。
【００５８】
図４は、実施の形態１における映像表示装置１が備える反射シート３０の形状の一例を模式的に示す斜視図である。図４の一部には、視覚的にわかりやすくするために、領域７１に対応する位置を破線で示している。
【００５９】
図４に示すように、反射シート３０には、隔壁部３１、開口３２、および開口３３が形成されている。
【００６０】
開口３２は、反射シート３０の背面側に配置されている光源基板２０の発光素子２１に対応する位置に設けられている。発光素子２１は、反射シート３０の背面から開口３２を貫通して反射シート３０の前面に露出する。すなわち、反射シート３０は、光源基板２０の表示パネル７０側の面を、発光素子２１を避けて覆っている。
【００６１】
反射シート３０は、発光素子２１から照射される光を反射するように、白色の合成樹脂（例えば、ポリプロピレン）で形成されている。そして、反射シート３０は、開口３２を貫通して前面に露出した発光素子２１から出射される光の一部（背面方向に進行する光、等）を前方（表示パネル７０方向）へ反射する。
【００６２】
隔壁部３１は、中空であり、互いに隣り合う開口３２（すなわち、互いに隣り合う発光素子２１）の間を仕切る位置に、前面側（表示パネル７０側）に突出した形状で形成されている。隔壁部３１は、互いに隣り合う発光素子２１によって照明される領域７１（互いに隣り合う領域７１）の境界上に、境界上の一部を除外して形成されている。本実施の形態における映像表示装置１では、１枚の反射シート３０によって、マトリクス状に配置された複数の光源基板２０が覆われている。
【００６３】
本実施の形態では、隔壁部３１は、互いに隣り合う発光素子２１の間の中央を通過している。発光素子２１は、上述したように、光源基板２０上に、第一方向に第一間隔で配列され、第一方向に直交する第二方向に第二間隔で配列されて、マトリクス状に配列されている。そのため、隔壁部３１は、第一方向に延伸する山脈状の隔壁部３１と、第二方向に延伸する山脈状の隔壁部３１とが格子状に交差して形成されている。また、隔壁部３１は、光源基盤２０から表示パネル７０に向かって膨出した状態で隆起している。
【００６４】
図５は、実施の形態１における映像表示装置１が備える隔壁部３１を延伸方向に対して垂直な面で切断した状態を模式的に示す断面図である。
【００６５】
図５に示すように、隔壁部３１は、断面形状が略二等辺三角形となるように、頂上部３４から光源基板２０に向かって徐々に間隔が拡がる二つの傾斜面部３７を備えている。二つの傾斜面部３７間の角度（すなわち、一方の傾斜面部３７に対する他方の傾斜面部３７の角度）θは、４５度より大きく、５５度以下の範囲から選定されることが好ましい。角度θがこの範囲内に設定されていれば、第二ドライバ素子２２を隔壁部３１内の光源基板２０上に収容し、かつ、隔壁部３１の頂上部３４をフラッタ４０の近傍に配置することができる。さらに、発光素子２１が領域７１を均等に照明することを容易に実現できる。なお、映像表示装置１において、第一ドライバ素子２３は、光源基板２０上の、隔壁部３１が交差した位置に配置されている。
【００６６】
反射シート３０は、白色のポリプロピレンにより形成されている。隔壁部３１の形成方法は、特に限定はされないが、例えば、ポリプロピレンのシートを真空成形する等の方法を挙げることができる。ポリプロピレンのシートに対して真空成形等により隔壁部３１が形成されると、隔壁部３１がリブのように機能して反射シート３０の剛性が高くなる。これにより、映像表示装置１の製造工程において、光源基板２０に対する反射シート３０の位置合わせ等を容易に行うことが可能となる。
【００６７】
なお、反射シート３０の光反射率を向上させるために、反射シート３０の表面に膜（例えば、酸化チタンの薄膜、等）が形成されてもかまわない。
【００６８】
反射シート３０における、互いに隣り合う領域７１の境界上の、隔壁部３１の形成が除外された部分には、開口３３が形成されている。サポートピンは、開口３３、および光源基板２０の開口２４を貫通して、ベースプレート１０に取り付けられる。
【００６９】
次に、フラッタ４０について説明する。
【００７０】
図６は、実施の形態１における映像表示装置１が備えるフラッタ４０の形状の一例を模式的に示す平面図である。図６の一部には、視覚的にわかりやすくするために、領域７１に対応する位置を破線で示している。
【００７１】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に発光素子２１により生じる輝度分布（輝度の偏り）を相殺するように設定されている。これにより、フラッタ４０は、領域７１内の輝度の均一性を向上することができる。
【００７２】
次に、光源基板２０への反射シート３０の取り付けと、各部材の配置について説明する。
【００７３】
図７は、実施の形態１の映像表示装置１における光源基板２０への反射シート３０の取り付け例を模式的に示す斜視図である。
【００７４】
図８、図９は、実施の形態１の映像表示装置１における光源基板２０、反射シート３０、およびフラッタ４０を含む部材の配置の一例を模式的に示す断面図である。図８には図７のＡ−Ａ線断面図を示し、図９には図７のＢ−Ｂ線断面図を示す。なお、図７ではフラッタ４０の図示を省略しているが、図８、図９にはフラッタ４０を示している。
【００７５】
図７、図８、図９に示すように、反射シート３０は、開口３２の周囲の平坦部分において接着テープ３５で光源基板２０に貼り付けられるとともに、開口２４および開口３３を貫通してベースプレート１０に取り付けられるサポートピン３６によって光源基板２０に固定される。こうして、反射シート３０は、光源基板２０に結合される。
【００７６】
光源基板２０の発光素子２１は、反射シート３０の背面から開口３２を貫通して反射シート３０の前面に露出する。光源基板２０の第一ドライバ素子２３および第二ドライバ素子２２は、隔壁部３１内の空間（隔壁部３１により反射シート３０の背面と光源基板２０の前面との間に形成される空間）に格納される。
【００７７】
図７〜図９には図示していないが、光源基板２０は、ビス孔２５（図３参照）を通ってベースプレート１０に取り付けられるビスによって、ベースプレート１０に固定されている。そして、そのビスの頭部も、隔壁部３１内の空間に格納される。
【００７８】
フラッタ４０は、サポートピン３６によって支持されて反射シート３０の前面側に配置される。具体的には、フラッタ４０は、フラッタ４０の特定の孔４１Ａがサポートピン３６の上部の切り欠きに嵌め込まれることにより、サポートピン３６に支持される。なお、フラッタ４０には複数の孔４１（図６参照）が設けられているが、図８、図９では孔４１の図示を省略している。
【００７９】
このようにして光源基板２０、反射シート３０、およびフラッタ４０は互いに結合されて１つの構造体が構成される。そして、図２に示すように、その構造体の前面に、さらに、各種の光学シート５０が配置され、光学シート５０の前面に表示パネル７０が配置されて、映像表示装置１が構成される。映像表示装置１では、光源基板２０の発光素子２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００８０】
［１−２．効果等］
以上のように、本実施の形態において、映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【００８１】
なお、映像表示装置１は映像表示装置の一例である。表示パネル７０は表示パネルの一例である。光源基板２０は光源基板の一例である。発光素子２１は発光素子の一例である。反射シート３０は反射シートの一例である。第一ドライバ素子２３および第二ドライバ素子２２は、それぞれがドライバ素子の一例である。隔壁部３１は隔壁部の一例である。
【００８２】
例えば、実施の形態１に示した例では、映像表示装置１は、映像信号に基づいて映像を表示する表示パネル７０と、表示パネル７０の背面側に配置される光源基板２０と、光源基板２０の表示パネル７０側の面に取り付けられ、表示パネル７０に光を照射する複数の発光素子２１と、反射シート３０と、複数の発光素子２１の各々を駆動する第二ドライバ素子２２と、を備える。反射シート３０は、互いに隣り合う発光素子２１の間を仕切り表示パネル７０に向かって膨出する隔壁部３１が形成され、光源基板２０の表示パネル７０側の面を発光素子２１を避けて覆う。第二ドライバ素子２２は、隔壁部３１により囲まれる光源基板２０の表示パネル７０側の面に取り付けられる。
【００８３】
映像表示装置において、反射シートは、ポリプロピレンにより形成されてもよい。
【００８４】
映像表示装置において、隔壁部は、頂上部から光源基板に向かって徐々に間隔が拡がる二つの傾斜面部を備えてもよい。一方の傾斜面部に対する他方の傾斜面部の角度は、４５度より大きく、５５度以下の範囲から選定されてもよい。
【００８５】
なお、頂上部３４は頂上部の一例である。傾斜面部３７は傾斜面部の一例である。
【００８６】
映像表示装置は、複数の光源基板を備え、複数の光源基板は、第一方向に沿って配列され、かつ、第一方向に直交する第二方向に沿って配列されてもよい。１枚の反射シートが、それら複数の光源基板を覆ってもよい。
【００８７】
なお、表示パネル７０の一辺（例えば、長辺）に並行な方向は、第一方向の一例である。表示パネル７０の他辺（例えば、短辺）に並行な方向は、第二方向の一例である。
【００８８】
以上のように構成された映像表示装置１では、次のような効果が得られる。
【００８９】
まず、映像表示装置１は、小型化、薄型化、および組み立てコストの軽減に適している。
【００９０】
映像表示装置１との比較のために、映像表示装置１と同様に、数百個を超える複数の発光素子を有し、それら複数の発光素子を互いに独立して制御可能なバックライトを有する映像表示装置を想定してみる。そして、その映像表示装置は、複数の発光素子が搭載された基板とドライバ素子が搭載された基板とが別体に設けられ、それらの基板が互いにケーブルで接続されることにより、複数の発光素子のそれぞれの輝度が独立に制御されるものとする。しかしながら、そのような構成を有する映像表示装置では、多数の基板や多数のケーブルが必要となるために、映像表示装置の小型化、薄型化は困難であり、また映像表示装置の組み立てコストが増加するおそれがある。
【００９１】
本実施の形態に示す映像表示装置１では、１つの光源基板２０に、複数の発光素子２１と複数の第一ドライバ素子２３および第二ドライバ素子２２とが搭載される。そのため、基板やケーブルを削減することができ、映像表示装置１の小型化、薄型化、および組み立てコストの軽減が可能になる。
【００９２】
映像表示装置１では、発光素子２１に、複数のＬＥＤ素子を直列に接続して構成された高電圧ＬＥＤを用いてもよい。高電圧ＬＥＤを用いることで、光源基板２０では、高電圧ＬＥＤでないＬＥＤ（低電圧ＬＥＤ）を用いた場合と比較して、発光素子２１の駆動電圧を上げることができる。これにより、光源基板２０では、駆動電流の増加を抑制しつつ、より高い発光輝度を得ることができるので、ドライバ素子での発熱を抑制することができる。
【００９３】
放熱に関する設計が困難である等の理由により、ＬＥＤとドライバ素子とを１つの基板に搭載することが困難な場合がある。しかし、映像表示装置１では、発光素子２１に高電圧ＬＥＤを用いることで、１つの光源基板２０に、複数の発光素子２１と複数の第一ドライバ素子２３および第二ドライバ素子２２とを搭載することができる。
【００９４】
また、映像表示装置１では、反射シート３０に、互いに隣り合う発光素子２１の間を仕切る中空の隔壁部３１を形成し、隔壁部３１内に第一ドライバ素子２３および第二ドライバ素子２２を格納している。
【００９５】
ドライバ素子等により反射シート３０に不要なしわや膨らみ等が生じると、領域７１内に輝度むらが発生する可能性がある。しかし、映像表示装置１では、隔壁部３１により反射シート３０の背面側に設けられた空間に第一ドライバ素子２３および第二ドライバ素子２２が格納されるので、それらのドライバ素子と反射シート３０とが干渉して輝度むらが発生することを防止できる。このように、映像表示装置１では、隔壁部３１内の空間を有効に活用して、第一ドライバ素子２３および第二ドライバ素子２２を光源基板２０に搭載することができる。
【００９６】
また、映像表示装置１では、互いに隣り合う領域７１が隔壁部３１によって隔てられるので、互いに隣り合う発光素子２１によって照明される領域７１間での相互の光漏れが低減される。これにより、各領域７１の発光素子２１による明るさの精度をより高めることができるので、より正確な輝度で表示パネル７０を照明できる。
【００９７】
また、映像表示装置１では、隔壁部３１は、互いに隣り合う発光素子２１によって照明される領域７１の境界上に、その境界上の一部を除外して形成されている。そして、フラッタ４０を支持するサポートピン３６は、反射シート３０における隔壁部３１の形成が除外された部分を貫通して、ベースプレート１０に取り付けられている。そのため、領域７１内にサポートピン３６の影が出にくくなり、サポートピン３６が領域７１における輝度低下の原因になることが防止される。
【００９８】
また、互いに隣り合う領域７１の境界の中央部分は、発光素子２１に相対的に近いため、相対的に明るい。そして、映像表示装置１では、サポートピン３６が、その中央部分（略中央部分）に設けられているので、発光素子２１から相対的に遠く相対的に暗い当該境界の端部にサポートピン３６が設けられる場合と比べて、サポートピン３６による輝度低下が目立ちにくい。
【００９９】
以上説明したように、本実施の形態によれば、独立して調光可能な複数の発光素子を有する映像表示装置において、映像表示装置の小型化、薄型化、および組み立てコストの軽減が可能になる。
【０１００】
（実施の形態２）
次に、図１０および図１１を参照しながら、実施の形態２について説明する。
【０１０１】
実施の形態２に示す映像表示装置１（図示せず）は、実施の形態１に示した映像表示装置１と実質的に同じものであるが、実施の形態１に開示されていない構成をさらに有する。以下では、実施の形態１で説明した事項については適宜説明を省略し、実施の形態１で開示されていない構成を主に説明する。
【０１０２】
［２−１．構成］
実施の形態２には、他の基板との電気的な接続をケーブルを介して行う構成を光源基板２０に設けた映像表示装置１を開示する。実施の形態２では、実施の形態１の映像表示装置１の構成に加えて、適切なコネクタを選択してケーブルを接続できる構成を光源基板２０が備えている。
【０１０３】
なお、以下の説明では、実施の形態１に示した映像表示装置１が備える構成要素と実質的に同じ構成要素については、その構成要素と同じ符号を付与して説明を省略する。
【０１０４】
光源基板２０の背面には、ケーブルを接続するための複数のコネクタが設けられている。当該コネクタは、複数の光源基板２０間でケーブルを介して信号や電力を分配するときに用いられる。この分配については後述する。
【０１０５】
図１０は、実施の形態２における映像表示装置１において光源基板２０に設けられるコネクタの配置の一例を模式的に示す平面図である。なお、図１０には、光源基板２０の背面側の平面図を示している。
【０１０６】
図１０に示すように、光源基板２０は、信号用入力コネクタ２６ａ、信号用入力コネクタ２６ｂ、信号用出力コネクタ２７ａ、信号用出力コネクタ２７ｂ、電源用入力コネクタ２８ａ、電源用入力コネクタ２８ｂ、電源用出力コネクタ２９ａ、および電源用出力コネクタ２９ｂ、を有する。これらのコネクタは、光源基板２０の背面の互いに異なる位置にそれぞれ配置されている。
【０１０７】
光源基板２０は、信号処理基板９２または他の光源基板２０から、信号用入力コネクタ２６ａまたは信号用入力コネクタ２６ｂに入力される制御信号を、光源基板２０に搭載されたドライバ素子に分配するとともに、信号用出力コネクタ２７ａおよび信号用出力コネクタ２７ｂの両方に出力（以下、「スルー出力」ともいう）するように設けられた配線を有する（図示せず）。
【０１０８】
したがって、光源基板２０は、信号処理基板９２または他の光源基板２０から、信号用入力コネクタ２６ａおよび信号用入力コネクタ２６ｂのいずれか一方に制御信号が入力されると、その制御信号は、信号用出力コネクタ２７ａおよび信号用出力コネクタ２７ｂの両方からスルー出力される。なお、その制御信号は、各発光素子２１に対応する各領域７１での映像の明るさを表す信号である。光源基板２０では、複数の発光素子２１の各々が、第一ドライバ素子２３および第二ドライバ素子２２により、その制御信号によって表される明るさ（映像の対応領域内の明るさ）に応じた輝度で発光するように駆動（調光）される。
【０１０９】
また、光源基板２０は、電源基板９３または他の光源基板２０から、電源用入力コネクタ２８ａまたは電源用入力コネクタ２８ｂに入力される電力を、光源基板２０に搭載された各素子に分配するとともに、電源用出力コネクタ２９ａおよび電源用出力コネクタ２９ｂにスルー出力するように設けられた配線を有する（図示せず）。
【０１１０】
したがって、光源基板２０は、電源基板９３または他の光源基板２０から、電源用入力コネクタ２８ａおよび電源用入力コネクタ２８ｂのいずれか一方に電力が入力されると、その電力は電源用出力コネクタ２９ａおよび電源用出力コネクタ２９ｂの両方からスルー出力される。各光源基板２０では、その電力を用いて複数の発光素子２１のそれぞれが駆動される。
【０１１１】
このように、実施の形態２に示す光源基板２０は、信号または電力を分配するための複数のコネクタを、互いに異なる位置に有している。そのため、実施の形態２に示す映像表示装置１では、光源基板２０において、例えば、他の部材が配置されているために使用できないコネクタを避けて他の使用可能なコネクタを使用する等、部材の配置位置等に応じて適切にコネクタを選択して、使用することができる。したがって、この映像表示装置１では、例えば、ベースプレート１０に複数の光源基板２０を取り付けるときに、その取り付け位置によって使用可能なコネクタが異なっている場合でも、互いに同じ構成の複数の光源基板２０を用いることができる。これにより、実施の形態２に示す映像表示装置１では、互いに同じ構成の複数の光源基板２０を用いて（すなわち、基板の共通化による）コスト削減を図ることができる。
【０１１２】
実施の形態２に示すこのような構成は、例えば、複数の光源基板２０を互いに電気的に連結（カスケード接続）してバックライトを構成する場合に適している。
【０１１３】
図１１は、実施の形態２における映像表示装置１においてバックライトを構成する複数の光源基板２０の接続の一例を模式的に示す平面図である。
【０１１４】
図１１には、一例として１６個の光源基板２０を取り付けたベースプレート１０の背面側の平面図を示している。光源基板２０は、ベースプレート１０の前面に取り付けられているので、図１１では、光源基板２０の取り付け位置を破線で示している。なお、ベースプレート１０に取り付けられる光源基板２０の数は何ら１６個に限定されない。
【０１１５】
図１１に破線で示すように、映像表示装置１が有する複数の光源基板２０は、ベースプレート１０上に、マトリクス状に配列されている。具体的には、各光源基板２０は、ベースプレート１０上に、第一方向に沿って配置され、かつ第一方向に直交する第二方向に沿って配置されている。そして、ベースプレート１０上に、マトリクス状に配列された複数の光源基板２０は、図１１に示すようにケーブル１４またはケーブル１５によって互いに電気的に連結（カスケード接続）されている。すなわち、第一方向に配列された光源基板２０および第二方向に配列された光源基板２０の少なくとも一方は、カスケード接続されている。
【０１１６】
なお、第一方向は、ベースプレート１０の１辺（例えば長辺）に並行な方向であってもよく、第二方向は、ベースプレート１０の他辺（例えば短辺）に並行な方向であってもよい。また、それらは互いに逆であってもよい。
【０１１７】
図１１に示すように、ベースプレート１０には、背面の上端に補強梁１１が設けられ、背面の下端に補強梁１２が設けられている。ベースプレート１０には、光源基板２０の所定のコネクタを、他の基板（信号処理基板９２、または電源基板９３、または他の光源基板２０）にケーブルを介して電気的に接続できるようにするための複数の開口１３が設けられている。また、補強梁１１には、ベースプレート１０に設けられた複数の開口１３のうちの所定の１つと実質的に同じ位置に設けられ、１つの光源基板２０（例えば、光源基板２０ａ）の所定のコネクタ（例えば、信号用入力コネクタ２６ａ）を他の基板（例えば、信号処理基板９２）にケーブルを介して電気的に接続できるようにするための開口１３ａが設けられている。そして、各光源基板２０の背面に設けられた各コネクタは、ベースプレート１０に設けられた開口１３を通して、または、開口１３および補強梁１１に設けられた開口１３ａを通して、ベースプレート１０の背面側に露出している。これにより、各光源基板２０は、互いのコネクタを、ベースプレート１０の背面側を通るケーブル１４またはケーブル１５によって電気的に接続することができる。
【０１１８】
そして、実施の形態２に示す映像表示装置１では、１６個の光源基板２０が、ケーブル１４およびケーブル１５で互いに電気的に接続されて、バックライトを構成している。なお、図１１では、説明を容易にするために、上段２列の７個の光源基板２０に、符号２０ａ〜２０ｇを付与している。
【０１１９】
具体的には、図１１に示すように、各光源基板２０の信号用出力コネクタ２７ｂは、ケーブル１４により、図面における左隣の光源基板２０の信号用入力コネクタ２６ｂに電気的に接続されている。ただし、図面における右端の４個の光源基板２０では、各光源基板２０の信号用出力コネクタ２７ａは、ケーブル１４により、図面における直下の光源基板２０の信号用入力コネクタ２６ａに電気的に接続されている。また、図面における右上端の光源基板２０ａの信号用入力コネクタ２６ａは、ケーブルにより信号処理基板９２に電気的に接続されている。
【０１２０】
これにより、信号処理基板９２から供給される制御信号は、光源基板２０ａの信号用入力コネクタ２６ａに入力される。この制御信号は、光源基板２０ａの信号用出力コネクタ２７ａおよび信号用出力コネクタ２７ｂにスルー出力され、ケーブル１４を介して、光源基板２０ｃの信号用入力コネクタ２６ａおよび光源基板２０ｂの信号用入力コネクタ２６ｂのそれぞれに入力される。そして、上述した構成に基づき、制御信号は、ケーブル１４を通して１つの光源基板２０から他の光源基板２０に分配される。同様の分配が繰り返されることで、信号処理基板９２から供給される制御信号は、映像表示装置１が有するすべての光源基板２０に分配される。なお、図１１では、制御信号が分配される経路を一点鎖線で示す。
【０１２１】
電源基板９３から供給される電力は、図１１で左端に配置された４個の光源基板２０に入力される。ただし、図１１で最上段に配置された４個の光源基板２０（光源基板２０ａ、２０ｂ、２０ｄ、２０ｆ）に関しては、補強梁１１により電源用入力コネクタ２８ｂおよび電源用出力コネクタ２９ｂが使用できない。そこで、電源基板９３から供給される電力は、左端に配置された４個のうちの最上段に配置された光源基板２０ｄに関しては、補強梁１１により使用できない電源用入力コネクタ２８ｂを避けて電源用入力コネクタ２８ａに入力され、光源基板２０ｅを含む他の３個の光源基板２０に関しては、電源用入力コネクタ２８ｂに入力される。この電力は、光源基板２０ｄでは、補強梁１１により使用できない電源用出力コネクタ２９ｂを避けて電源用出力コネクタ２９ａにスルー出力され、ケーブル１５を介して、図面における右隣に配置された光源基板２０ｆの電源用入力コネクタ２８ａに入力される。光源基板２０ｅを含む他の３個の光源基板２０ｄでは、電力は、電源用出力コネクタ２９ｂにスルー出力され、ケーブル１５を介して、図面におけるそれぞれの右隣に配置された光源基板２０の電源用入力コネクタ２８ｂに入力される。このようにして、電力は、１つの光源基板２０から他の光源基板２０に分配される。同様の分配が繰り返されることで、電源基板９３から供給される電力は、映像表示装置１が有するすべての光源基板２０に分配される。なお、図１１では、電力が分配される経路を二点鎖線で示す。
【０１２２】
映像表示装置１が有する光源基板２０は、このようにして分配された制御信号および電力によって動作し、複数の発光素子２１の各々は、分配された制御信号によって表される明るさ（映像の対応領域内の明るさ）に応じた輝度で発光するように駆動（調光）される。
【０１２３】
なお、図１１には、第一方向に配列された光源基板２０同士がカスケード接続されている構成例を示したが、第二方向に配列された光源基板２０同士がカスケード接続されてもよい。
【０１２４】
［２−２．効果等］
以上のように、本実施の形態において、映像表示装置は、複数の光源基板を備えてもよい。複数の光源基板は、第一方向に沿って配列され、かつ第一方向に直交する第二方向に沿って配列されてもよい。
【０１２５】
また、映像表示装置において、第一方向に配列される光源基板および第二方向に配列される光源基板の少なくとも一方は、カスケード接続されていてもよい。
【０１２６】
なお、映像表示装置１は映像表示装置の一例である。光源基板２０および光源基板２０ａ〜２０ｇは、複数の光源基板の一例である。ベースプレート１０の長辺に並行な方向は、第一方向の一例である。ベースプレート１０の短辺に並行な方向は、第二方向の一例である。図１１に示した複数の光源基板２０を互いに連結した構成は、複数の光源基板のカスケード接続の一例である。
【０１２７】
以上のように構成された映像表示装置１では、複数の光源基板２０を互いに電気的に連結（カスケード接続）することにより、接続に必要なケーブルを削減することができる。
【０１２８】
また、光源基板２０では、信号または電力を分配する複数のコネクタを互いに異なる位置に設けることで、例えば、他の部材（例えば、補強梁１１等）が配置されているために使用できないコネクタを避けて他の使用可能なコネクタを使用する等、部材の配置位置等に応じて適切にコネクタを選択して使用することが可能である。
【０１２９】
以上説明したように、本実施の形態によれば、独立して調光可能な複数の発光素子を有する映像表示装置において、映像表示装置の小型化、薄型化、および組み立てコストの軽減が可能になる。
【０１３０】
（他の実施の形態）
以上のように、本出願において開示する技術の例示として、実施の形態１および２を説明した。そのために、添付図面および詳細な説明を提供した。
【０１３１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３２】
また、上述の実施の形態は、本開示における技術を例示するためのものであるから、特許請求の範囲またはその均等の範囲において種々の変更、置き換え、付加、省略などを行うことができる。また、上記実施の形態１および２で説明した各構成要素を組み合わせて、新たな実施の形態とすることも可能である。
【０１３３】
なお、上述の説明における各部材の配置位置や形状等において、目的とする効果を得られる範囲での誤差やばらつきは許容される。
【産業上の利用可能性】
【０１３４】
本開示は、映像表示装置に適用可能である。具体的には、テレビジョン受像機、映像録画再生装置、またはコンピュータディスプレイ装置等に、本開示は適用可能である。
【符号の説明】
【０１３５】
１    映像表示装置
１ａ    筐体
１０    ベースプレート
１１，１２    補強梁
１３，１３ａ    開口
１４，１５    ケーブル
２０，２０ａ，２０ｂ，２０ｃ，２０ｄ，２０ｅ，２０ｆ，２０ｇ    光源基板
２１    発光素子
２２    第二ドライバ素子
２３    第一ドライバ素子
２４    開口
２５    ビス孔
２６ａ，２６ｂ    信号用入力コネクタ
２７ａ，２７ｂ    信号用出力コネクタ
２８ａ，２８ｂ    電源用入力コネクタ
２９ａ，２９ｂ    電源用出力コネクタ
３０    反射シート
３１    隔壁部
３２，３３    開口
３５    接着テープ
３６    サポートピン
４０    フラッタ
４１，４１Ａ    孔
５０    光学シート
６０    モールドフレーム
７０    表示パネル
７１    領域
８０    ベゼル
９１    接続端子基板
９２    信号処理基板
９３    電源基板
【図１】
2017038081.tif 000003
【図２】
2017038081.tif 000004
【図３】
2017038081.tif 000005
【図４】
2017038081.tif 000006
【図５】
2017038081.tif 000007
【図６】
2017038081.tif 000008
【図７】
2017038081.tif 000009
【図８】
2017038081.tif 000010
【図９】
2017038081.tif 000011
【図１０】
2017038081.tif 000012
【図１１】
2017038081.tif 000013
【手続補正書】
【提出日】平成30年2月21日(2018.2.21)
【手続補正１】
【補正対象書類名】明細書
【補正対象項目名】全文
【補正方法】変更
【補正の内容】
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。
【０００３】
特許文献１は、ローカルディミングに関する技術を開示する。ローカルディミングとは、表示パネルを複数の領域に分け、各領域に対応して配置された複数の光源を、表示パネルの各領域に映し出される映像の明るさに応じて調光する技術である。この技術により、１画面内の映像のコントラストを向上させることができる。光源には、例えばＬＥＤ（Ｌｉｇｈｔ  Ｅｍｉｔｔｉｎｇ  Ｄｉｏｄｅ：発光ダイオード）等の発光素子が用いられる。
【先行技術文献】
【特許文献】
【０００４】
【特許文献１】特開２０１４−４１８３０号公報
【発明の概要】
【０００５】
ローカルディミングが行われる映像表示装置において、互いに独立して調光可能な発光素子の数を増やすことは、映像に基づくバックライトの部分的な制御をよりきめ細かく行うことが可能になるので、１画面内でのコントラストを精度良く高めるために有効である。
【０００６】
しかしながら、多数の発光素子が互いに独立して調光される映像表示装置では、多数の発光素子に対応した多数の基板や多数のケーブルが必要となる。そして、それらの増加は、映像表示装置の小型化、薄型化の障害となったり、映像表示装置の組み立てコストを増加させたりする可能性がある。
【０００７】
本開示は、互いに独立して調光することができる複数の発光素子を有し、装置の小型化、薄型化、および組み立てコストの軽減が可能な映像表示装置を提供する。
【０００８】
本開示の一態様における映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【０００９】
本開示における映像表示装置では、反射シートは、互いに隣り合う発光素子の間を仕切る中空の隔壁部を備えており、隔壁部内にドライバ素子を格納しているため、ドライバ素子と反射シートとが干渉して輝度むらが発生することを防止できる。また、隔壁部内の空間にドライバ素子が格納されるので、隔壁部により形成される空間を有効に活用することができる。また、隔壁部によって、互いに隣り合う発光素子から照明される光の重なりが低減されるので、より正確な輝度で表示パネルを照明できる。
【図面の簡単な説明】
【００１０】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板の構成の一例を模式的に示す平面図である。
【図４】図４は、実施の形態１における映像表示装置が備える反射シートの形状の一例を模式的に示す斜視図である。
【図５】図５は、実施の形態１における映像表示装置が備える隔壁部を延伸方向に対して垂直な面で切断した状態を模式的に示す断面図である。
【図６】図６は、実施の形態１における映像表示装置が備えるフラッタの形状の一例を模式的に示す平面図である。
【図７】図７は、実施の形態１の映像表示装置における光源基板への反射シートの取り付け例を模式的に示す斜視図である。
【図８】図８は、実施の形態１の映像表示装置における光源基板、反射シート、およびフラッタを含む部材の配置の一例を模式的に示す断面図である。
【図９】図９は、実施の形態１の映像表示装置における光源基板、反射シート、およびフラッタを含む部材の配置の一例を模式的に示す断面図である。
【図１０】図１０は、実施の形態２における映像表示装置において光源基板に設けられるコネクタの配置の一例を模式的に示す平面図である。
【図１１】図１１は、実施の形態２における映像表示装置においてバックライトを構成する複数の光源基板の接続の一例を模式的に示す平面図である。
【発明を実施するための形態】
【００１１】
本実施の形態における映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【００１２】
このような構成によれば、１つの光源基板に複数の発光素子と複数のドライバ素子とが搭載され、ドライバ素子が反射シートの隔壁部内に収容されるので、映像表示装置において、光の輝度むらを低減でき、装置の小型化、薄型化、および組み立てコストの軽減が可能になる。ここで、発光素子としては、ＬＥＤ（Ｌｉｇｈｔ  Ｅｍｉｔｔｉｎｇ  Ｄｉｏｄｅ）を例示することができる。
【００１３】
また、映像表示装置は、光源基板上に設置され、互いに隣り合う発光素子の間を仕切る中空の隔壁部が形成された反射シートをさらに備えてもよい。ドライバ素子は、反射シートの隔壁部内に格納されていてもよい。
【００１４】
このような構成によれば、互いに隣り合う領域が隔壁部によって隔てられるので、互いに隣り合う発光素子によって照明される領域間での相互の光漏れが低減される。これにより、各領域の発光素子による明るさの精度をより高めることができるので、より正確な輝度で液晶表示パネルを照明できる。また、中空の隔壁部内にドライバ素子が格納されるので、ドライバ素子と反射シートとが干渉して輝度むらが発生することを防止できる。このように、この映像表示装置では、隔壁部内の空間を有効に活用して、ドライバ素子を光源基板に搭載することができる。
【００１５】
また、隔壁部は、互いに隣り合う発光素子によって照明される領域の境界上に、その境界上の一部を除外して形成されてもよい。光学シートを支持するサポートピンは、反射シートにおける隔壁部の形成が除外された部分を貫通して、ベースプレートに取り付けられてもよい。
【００１６】
このような構成によれば、サポートピンにより、光学シートを、反射シートの前面側の所定の位置に支持することができる。その際、サポートピンが、発光素子によって照明される領域の境界上に設けられるので、領域内にはサポートピンの影が出にくく、サポートピンが領域内での輝度低下や輝度むらの原因になることを防止できる。また、サポートピンが、発光素子に相対的に近く相対的に明るい当該境界の略中央部分に設けられることにより、発光素子から相対的に遠く相対的に暗い当該境界の端部にサポートピンが設けられる場合と比べて、サポートピンによる輝度低下を目立ちにくくすることもできる。
【００１７】
また、光源基板は、信号または電力を分配するための複数のコネクタを互いに異なる位置に有していてもよい。
【００１８】
このような構成によれば、光源基板において、例えば、他の部材が配置されているために使用できないコネクタを避けて他の使用可能なコネクタを使用する等、他の部材の配置位置等に応じて適切にコネクタを選択して使用することができる。したがって、この映像表示装置では、例えば、ベースプレートに複数の光源基板を取り付けるときに、その取り付け位置によって使用可能なコネクタが異なっている場合でも、互いに同じ構成の複数の光源基板を用いることができる。これにより、基板の共通化によるコスト削減を図ることができる。
【００１９】
また、光源基板は、信号および電力の少なくとも一方が入力される入力コネクタと、入力された信号および電力の少なくとも一方をスルー出力する出力コネクタとを有してもよい。映像表示装置は、複数の光源基板を備え、複数の光源基板のうち第１の光源基板の出力コネクタと第２の光源基板の入力コネクタとが、互いに接続されてもよい。
【００２０】
このような構成によれば、複数の光源基板を互いに電気的に連結（カスケード接続）することにより、接続に必要なケーブルを削減することができる。
【００２１】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２２】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２３】
なお、添付図面および以下の説明は、当業者が本開示を十分に理解するために提供されるのであって、これらにより特許請求の範囲に記載の主題を限定することは意図されていない。
【００２４】
また、各図は、模式図であり、必ずしも厳密に図示されたものではない。また、各図において、実質的に同じ構成要素については同じ符号を付し、説明を省略または簡略化する場合がある。
【００２５】
（実施の形態１）
以下、図１〜図９を参照しながら実施の形態１における映像表示装置１について説明する。なお、本実施の形態では、図面にＸ軸、Ｙ軸、Ｚ軸の３軸を示し、表示パネルの長辺に平行な方向の軸をＸ軸、表示パネルの短辺に平行な方向の軸をＹ軸、Ｘ軸Ｙ軸の双方に直交する軸をＺ軸とする。しかし、これらの軸は便宜的に示したものに過ぎず、何ら本開示を限定するものではない。
【００２６】
［１−１．構成］
実施の形態１における映像表示装置１は、液晶の表示パネルと、その表示パネルを背面から照明するための光源基板と、を備える。映像表示装置１は、映像表示装置の一例である。光源基板には、各々が表示パネルの互いに異なる領域に対応して設けられた複数の発光素子と、複数の発光素子の各々を、制御信号によって表される明るさ（映像の対応領域内の明るさ）に応じた輝度で発光するように駆動（調光）するドライバ素子と、が搭載される。なお、映像の対応領域内の明るさとは、１つの発光素子（または、一箇所に配置された発光素子）が照明する表示パネルの領域（すなわち、その発光素子に対応する領域）における映像の明るさ（映像の部分的な明るさ）のことである。
【００２７】
図１は、実施の形態１における映像表示装置１の外観の一例を模式的に示す図である。
【００２８】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００２９】
図２は、実施の形態１における映像表示装置１の構成の一例を模式的に示す分解斜視図である。
【００３０】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略する。
【００３１】
ベースプレート１０は、光源基板２０、接続端子基板９１、信号処理基板９２、および電源基板９３を取り付ける基台である。ベースプレート１０は、例えば、板金で形成されるが、他の材料で形成されてもよい。ベースプレート１０には、ねじ穴や、後述する開口、等が設けられている。
【００３２】
光源基板２０は、表示パネル７０を照明するバックライトモジュールである。光源基板２０は、複数の発光素子と、複数の発光素子の各々を駆動する複数のドライバ素子と、を備える。それらは、光源基板２０の同一の面に搭載されている。複数の光源基板２０は、互いに同じ形であってもよい。光源基板２０の詳細は後述する。
【００３３】
映像表示装置１は、複数の光源基板２０を、同一面内にマトリクス状に配置された状態で備えている。これら複数の光源基板２０の各々は、ベースプレート１０の前面（表示パネル７０側の面）に取り付けられている。具体的には、各光源基板２０は、ベースプレート１０の前面に、第一方向に沿って配列され、かつ第一方向に直交する第二方向に沿って配列されている。映像表示装置１では、これら複数の光源基板２０により、表示パネル７０を照明するバックライトが構成される。
【００３４】
なお、第一方向は、表示パネル７０の長辺に並行な方向であってもよく、第二方向は、表示パネル７０の短辺に並行な方向であってもよい。また、それらは互いに逆であってもよい。
【００３５】
反射シート３０は、光源基板２０の前面（表示パネル７０側の面）に設置され、開口を有し、その開口を貫通した発光素子（図３に示す光源基板２０の発光素子２１）から出射される光の一部を表示パネル７０に向けて反射するシートである。反射シート３０は、例えば、白色のポリプロピレンで形成されるが、白色の他の材料で形成されてもよい。反射シート３０には、互いに隣り合う発光素子の間を仕切る中空の隔壁部（図４参照）が、前面側（表示パネル７０側）に突出した形状で形成されている。したがって、発光素子の周囲は隔壁部によって囲まれ、各発光素子は、発光素子の周りの当該隔壁部で囲まれた領域を照明する。反射シート３０の詳細は後述する。
【００３６】
フラッタ４０は、発光素子によって照射される領域（反射シート３０の隔壁部で囲まれた領域）の輝度の均一性を向上させるために、反射シート３０の前面（表示パネル７０側の面）に設置された光学シートである。フラッタ４０は、発光素子から出射される光を一様に透過するのではなく、発光素子によって照明される領域内に、光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で形成されるが、他の材料で形成されてもよい。後述するように光源基板２０が備える発光素子はＬＥＤによる点光源のため、フラッタ４０がない場合、その発光素子が照明する領域内には輝度に偏り（輝度分布）が生じる。フラッタ４０は、その輝度分布を相殺するように設定された透過率の分布を有する。これにより、発光素子による領域内の輝度の均一性を向上することができる。フラッタ４０の詳細は後述する。
【００３７】
光学シート５０は、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、機能に応じた微細形状が表面に設けられて成形された合成樹脂で構成することができる。
【００３８】
モールドフレーム６０は、表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００３９】
表示パネル７０は、例えば、複数の液晶の画素がマトリクス状に配列されて構成された映像表示用の液晶表示パネルである。なお、表示パネル７０は、映像だけでなく画像（静止画）を表示することも可能である。
【００４０】
ベゼル８０は、表示パネル７０の外周を前面から支持する支持部材である。ベゼル８０は、例えば、金属で形成されるが、合成樹脂で形成されてもよい。
【００４１】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の発光素子の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００４２】
次に、光源基板２０について説明する。
【００４３】
図３は、実施の形態１における映像表示装置１が備える光源基板２０の構成の一例を模式的に示す平面図である。なお、図３には、光源基板２０の前面に配置された各部材の一例を示している。また、図３の一部には、視覚的にわかりやすくするために、便宜的に、個々の発光素子２１で照明される表示パネル７０の領域７１に対応する位置を破線で示している。
【００４４】
図３に示すように、光源基板２０には、複数の発光素子２１と複数のドライバ素子（第一ドライバ素子２３および第二ドライバ素子２２）とが同一の面（光源基板２０の前面）に搭載されている。なお、本実施の形態では、第一ドライバ素子２３および第二ドライバ素子２２を総称して、単にドライバ素子と呼ぶ場合もある。
【００４５】
発光素子２１の各々は、表示パネル７０の互いに異なる領域７１に対応して設けられている。本実施の形態における映像表示装置１では、発光素子２１に高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。したがって、高電圧ＬＥＤにおいて低電圧ＬＥＤと同じ発光輝度を得る場合には、高電圧ＬＥＤに流れる電流を、低電圧ＬＥＤに流れる電流よりも低く抑えることができる。したがって、映像表示装置１において複数の光源基板２０を互いに電気的に連結（カスケード接続）するような場合に、配線等で発生する熱を抑制することができ、光源基板２０に電力を供給する電源の負荷を軽減することが可能となる。
【００４６】
このように、光源基板２０では、ＬＥＤの駆動電流の増加を抑制しつつより高い発光輝度を得ることができるので、第一ドライバ素子２３および第二ドライバ素子２２での発熱を抑制することができる。したがって、発光素子２１としてのＬＥＤと、第一ドライバ素子２３および第二ドライバ素子２２とを、１つの光源基板２０上に搭載することが可能となる。
【００４７】
なお、高電圧ＬＥＤとは、例えば１０（Ｖ）以上、５０（Ｖ）以下の範囲の駆動電圧で駆動されるＬＥＤである。本実施の形態における映像表示装置１では、高電圧ＬＥＤとして、駆動電圧が２０（Ｖ）以上、４０（Ｖ）以下のＬＥＤが使用されてもよい。一方、低電圧ＬＥＤとは、駆動電圧が、例えば３（Ｖ）以上、６（Ｖ）以下の範囲のＬＥＤである。
【００４８】
発光素子２１は、光源基板２０の表面（前面）に、略均等に分散した状態で配置されている。したがって、発光素子２１は、光源基板２０がマトリクス状に配置されることで、表示パネル７０の表示領域の全体にわたって略均等に配置される。
【００４９】
本実施の形態における映像表示装置１では、領域７１は、表示パネル７０の表示領域を縦横に直交する境界で略均等に分割した矩形の範囲である。なお、本実施の形態では、表示パネル７０の長辺に平行な方向を横とし、表示パネル７０の短辺に平行な方向を縦とする。また、各発光素子２１は、それぞれの領域７１の中心に対応する位置に配置されるように、光源基板２０上にマトリクス状に配列されている。具体的には、各発光素子２１は、光源基板２０上に、第一方向に第一間隔で配列され、第一方向に直交する第二方向に第二間隔で配列されている。したがって、第一間隔は、領域７１の第一方向に平行な辺の長さと実質的に一致し、第二間隔は、領域７１の第二方向に平行な辺の長さと実質的に一致する。なお、第一方向は、例えば図３の横方向であり、第二方向は、例えば図３の縦方向である。なお、第一方向は、表示パネル７０の表示領域の１辺（例えば長辺）に並行な方向であってもよく、第二方向は、表示パネル７０の表示領域の他辺（例えば短辺）に並行な方向であってもよい。また、それらは互いに逆であってもよい。
【００５０】
第一ドライバ素子２３および第二ドライバ素子２２は、信号処理基板９２から供給される制御信号に基づき発光素子２１を駆動する半導体素子である。第一ドライバ素子２３および第二ドライバ素子２２には、各発光素子２１に対応する領域７１における映像の明るさを表す制御信号が、信号処理基板９２から供給される。そして、第一ドライバ素子２３および第二ドライバ素子２２は、発光素子２１の各々を、当該制御信号によって表される明るさに応じた輝度で発光するように駆動（調光）する。第一ドライバ素子２３および第二ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよく、または半導体集積回路（ＩＣ：Ｉｎｔｅｇｒａｔｅｄ  Ｃｉｒｃｕｉｔ）等であってもよい。
【００５１】
このように、本実施の形態における映像表示装置１は、ドライバ素子として、第一ドライバ素子２３と第二ドライバ素子２２とを備えている。なお、第二ドライバ素子２２は、個々の発光素子２１を調光するトランジスタであってもよい。第一ドライバ素子２３は、信号処理基板９２から供給される制御信号から第二ドライバ素子２２のゲート信号を生成する集積回路であってもよい。二種類のドライバ素子が、光源基板２０における発光素子２１が取り付けられている面に搭載されることにより、光源基板２０に多数の発光素子２１が取り付けられた場合でも、配線を単純化することが可能となる。また、複数の光源基板２０を互いに電気的に連結（カスケード接続）することも容易に実現できる。
【００５２】
第一ドライバ素子２３および第二ドライバ素子２２は、互いに隣り合う発光素子２１の間に配置されている。すなわち、第一ドライバ素子２３および第二ドライバ素子２２は、第一間隔および第二間隔の少なくとも一方の間、特に中点近傍、に配置されている。
【００５３】
本実施の形態における光源基板２０では、第一ドライバ素子２３は、第一間隔および第二間隔の中点、すなわち交差部、に配置されている。第二ドライバ素子２２は、第一間隔の中点近傍に配置されている。具体的には、第一ドライバ素子２３は、図３に一例を示すように、第一方向に隣り合って配置された発光素子２１の中点から第二方向に延伸する線と、第二方向に隣り合って配置された発光素子２１の中点から第一方向に延伸する線とが交差した点の近傍（交差部）に配置されている。第二ドライバ素子２２は、第一方向に隣り合って配置された発光素子２１の中点の近傍に配置されている。
【００５４】
なお、本実施の形態における映像表示装置１では、第一ドライバ素子２３および第二ドライバ素子２２は、図５に示す中空の隔壁部の背面側（隔壁部により形成される空間の内部）に配置される。すなわち、上述の近傍とは、隔壁部内の空間に納まる範囲のことである。
【００５５】
光源基板２０には、フラッタ４０を支持するサポートピンを立てるための開口２４、および光源基板２０をベースプレート１０にビス止めするためのビス孔２５、が設けられている。
【００５６】
光源基板２０では、第一ドライバ素子２３、第二ドライバ素子２２、開口２４、およびビス孔２５を、互いに隣接する領域７１の境界線上に配置している。このような配置による効果については後述する。
【００５７】
次に、反射シート３０について説明する。
【００５８】
図４は、実施の形態１における映像表示装置１が備える反射シート３０の形状の一例を模式的に示す斜視図である。図４の一部には、視覚的にわかりやすくするために、領域７１に対応する位置を破線で示している。
【００５９】
図４に示すように、反射シート３０には、隔壁部３１、開口３２、および開口３３が形成されている。
【００６０】
開口３２は、反射シート３０の背面側に配置されている光源基板２０の発光素子２１に対応する位置に設けられている。発光素子２１は、反射シート３０の背面から開口３２を貫通して反射シート３０の前面に露出する。すなわち、反射シート３０は、光源基板２０の表示パネル７０側の面を、発光素子２１を避けて覆っている。
【００６１】
反射シート３０は、発光素子２１から照射される光を反射するように、白色の合成樹脂（例えば、ポリプロピレン）で形成されている。そして、反射シート３０は、開口３２を貫通して前面に露出した発光素子２１から出射される光の一部（背面方向に進行する光、等）を前方（表示パネル７０方向）へ反射する。
【００６２】
隔壁部３１は、中空であり、互いに隣り合う開口３２（すなわち、互いに隣り合う発光素子２１）の間を仕切る位置に、前面側（表示パネル７０側）に突出した形状で形成されている。隔壁部３１は、互いに隣り合う発光素子２１によって照明される領域７１（互いに隣り合う領域７１）の境界上に、境界上の一部を除外して形成されている。本実施の形態における映像表示装置１では、１枚の反射シート３０によって、マトリクス状に配置された複数の光源基板２０が覆われている。
【００６３】
本実施の形態では、隔壁部３１は、互いに隣り合う発光素子２１の間の中央を通過している。発光素子２１は、上述したように、光源基板２０上に、第一方向に第一間隔で配列され、第一方向に直交する第二方向に第二間隔で配列されて、マトリクス状に配列されている。そのため、隔壁部３１は、第一方向に延伸する山脈状の隔壁部３１と、第二方向に延伸する山脈状の隔壁部３１とが格子状に交差して形成されている。また、隔壁部３１は、光源基盤２０から表示パネル７０に向かって膨出した状態で隆起している。
【００６４】
図５は、実施の形態１における映像表示装置１が備える隔壁部３１を延伸方向に対して垂直な面で切断した状態を模式的に示す断面図である。
【００６５】
図５に示すように、隔壁部３１は、断面形状が略二等辺三角形となるように、頂上部３４から光源基板２０に向かって徐々に間隔が拡がる二つの傾斜面部３７を備えている。二つの傾斜面部３７間の角度（すなわち、一方の傾斜面部３７に対する他方の傾斜面部３７の角度）θは、４５度より大きく、５５度以下の範囲から選定されることが好ましい。角度θがこの範囲内に設定されていれば、第二ドライバ素子２２を隔壁部３１内の光源基板２０上に収容し、かつ、隔壁部３１の頂上部３４をフラッタ４０の近傍に配置することができる。さらに、発光素子２１が領域７１を均等に照明することを容易に実現できる。なお、映像表示装置１において、第一ドライバ素子２３は、光源基板２０上の、隔壁部３１が交差した位置に配置されている。
【００６６】
反射シート３０は、白色のポリプロピレンにより形成されている。隔壁部３１の形成方法は、特に限定はされないが、例えば、ポリプロピレンのシートを真空成形する等の方法を挙げることができる。ポリプロピレンのシートに対して真空成形等により隔壁部３１が形成されると、隔壁部３１がリブのように機能して反射シート３０の剛性が高くなる。これにより、映像表示装置１の製造工程において、光源基板２０に対する反射シート３０の位置合わせ等を容易に行うことが可能となる。
【００６７】
なお、反射シート３０の光反射率を向上させるために、反射シート３０の表面に膜（例えば、酸化チタンの薄膜、等）が形成されてもかまわない。
【００６８】
反射シート３０における、互いに隣り合う領域７１の境界上の、隔壁部３１の形成が除外された部分には、開口３３が形成されている。サポートピンは、開口３３、および光源基板２０の開口２４を貫通して、ベースプレート１０に取り付けられる。
【００６９】
次に、フラッタ４０について説明する。
【００７０】
図６は、実施の形態１における映像表示装置１が備えるフラッタ４０の形状の一例を模式的に示す平面図である。図６の一部には、視覚的にわかりやすくするために、領域７１に対応する位置を破線で示している。
【００７１】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に発光素子２１により生じる輝度分布（輝度の偏り）を相殺するように設定されている。これにより、フラッタ４０は、領域７１内の輝度の均一性を向上することができる。
【００７２】
次に、光源基板２０への反射シート３０の取り付けと、各部材の配置について説明する。
【００７３】
図７は、実施の形態１の映像表示装置１における光源基板２０への反射シート３０の取り付け例を模式的に示す斜視図である。
【００７４】
図８、図９は、実施の形態１の映像表示装置１における光源基板２０、反射シート３０、およびフラッタ４０を含む部材の配置の一例を模式的に示す断面図である。図８には図７のＡ−Ａ線断面図を示し、図９には図７のＢ−Ｂ線断面図を示す。なお、図７ではフラッタ４０の図示を省略しているが、図８、図９にはフラッタ４０を示している。
【００７５】
図７、図８、図９に示すように、反射シート３０は、開口３２の周囲の平坦部分において接着テープ３５で光源基板２０に貼り付けられるとともに、開口２４および開口３３を貫通してベースプレート１０に取り付けられるサポートピン３６によって光源基板２０に固定される。こうして、反射シート３０は、光源基板２０に結合される。
【００７６】
光源基板２０の発光素子２１は、反射シート３０の背面から開口３２を貫通して反射シート３０の前面に露出する。光源基板２０の第一ドライバ素子２３および第二ドライバ素子２２は、隔壁部３１内の空間（隔壁部３１により反射シート３０の背面と光源基板２０の前面との間に形成される空間）に格納される。
【００７７】
図７〜図９には図示していないが、光源基板２０は、ビス孔２５（図３参照）を通ってベースプレート１０に取り付けられるビスによって、ベースプレート１０に固定されている。そして、そのビスの頭部も、隔壁部３１内の空間に格納される。
【００７８】
フラッタ４０は、サポートピン３６によって支持されて反射シート３０の前面側に配置される。具体的には、フラッタ４０は、フラッタ４０の特定の孔４１Ａがサポートピン３６の上部の切り欠きに嵌め込まれることにより、サポートピン３６に支持される。なお、フラッタ４０には複数の孔４１（図６参照）が設けられているが、図８、図９では孔４１の図示を省略している。
【００７９】
このようにして光源基板２０、反射シート３０、およびフラッタ４０は互いに結合されて１つの構造体が構成される。そして、図２に示すように、その構造体の前面に、さらに、各種の光学シート５０が配置され、光学シート５０の前面に表示パネル７０が配置されて、映像表示装置１が構成される。映像表示装置１では、光源基板２０の発光素子２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００８０】
［１−２．効果等］
以上のように、本実施の形態において、映像表示装置は、映像信号に基づいて映像を表示する表示パネルと、表示パネルの背面側に配置される光源基板と、光源基板の表示パネル側の面に取り付けられ、表示パネルに光を照射する複数の発光素子と、反射シートと、複数の発光素子の各々を駆動するドライバ素子と、を備える。反射シートは、互いに隣り合う発光素子の間を仕切り表示パネルに向かって膨出する隔壁部が形成され、光源基板の表示パネル側の面を発光素子を避けて覆う。ドライバ素子は、隔壁部により囲まれる光源基板の表示パネル側の面に取り付けられる。
【００８１】
なお、映像表示装置１は映像表示装置の一例である。表示パネル７０は表示パネルの一例である。光源基板２０は光源基板の一例である。発光素子２１は発光素子の一例である。反射シート３０は反射シートの一例である。第一ドライバ素子２３および第二ドライバ素子２２は、それぞれがドライバ素子の一例である。隔壁部３１は隔壁部の一例である。
【００８２】
例えば、実施の形態１に示した例では、映像表示装置１は、映像信号に基づいて映像を表示する表示パネル７０と、表示パネル７０の背面側に配置される光源基板２０と、光源基板２０の表示パネル７０側の面に取り付けられ、表示パネル７０に光を照射する複数の発光素子２１と、反射シート３０と、複数の発光素子２１の各々を駆動する第二ドライバ素子２２と、を備える。反射シート３０は、互いに隣り合う発光素子２１の間を仕切り表示パネル７０に向かって膨出する隔壁部３１が形成され、光源基板２０の表示パネル７０側の面を発光素子２１を避けて覆う。第二ドライバ素子２２は、隔壁部３１により囲まれる光源基板２０の表示パネル７０側の面に取り付けられる。
【００８３】
映像表示装置において、反射シートは、ポリプロピレンにより形成されてもよい。
【００８４】
映像表示装置において、隔壁部は、頂上部から光源基板に向かって徐々に間隔が拡がる二つの傾斜面部を備えてもよい。一方の傾斜面部に対する他方の傾斜面部の角度は、４５度より大きく、５５度以下の範囲から選定されてもよい。
【００８５】
なお、頂上部３４は頂上部の一例である。傾斜面部３７は傾斜面部の一例である。
【００８６】
映像表示装置は、複数の光源基板を備え、複数の光源基板は、第一方向に沿って配列され、かつ、第一方向に直交する第二方向に沿って配列されてもよい。１枚の反射シートが、それら複数の光源基板を覆ってもよい。
【００８７】
なお、表示パネル７０の一辺（例えば、長辺）に並行な方向は、第一方向の一例である。表示パネル７０の他辺（例えば、短辺）に並行な方向は、第二方向の一例である。
【００８８】
以上のように構成された映像表示装置１では、次のような効果が得られる。
【００８９】
まず、映像表示装置１は、小型化、薄型化、および組み立てコストの軽減に適している。
【００９０】
映像表示装置１との比較のために、映像表示装置１と同様に、数百個を超える複数の発光素子を有し、それら複数の発光素子を互いに独立して制御可能なバックライトを有する映像表示装置を想定してみる。そして、その映像表示装置は、複数の発光素子が搭載された基板とドライバ素子が搭載された基板とが別体に設けられ、それらの基板が互いにケーブルで接続されることにより、複数の発光素子のそれぞれの輝度が独立に制御されるものとする。しかしながら、そのような構成を有する映像表示装置では、多数の基板や多数のケーブルが必要となるために、映像表示装置の小型化、薄型化は困難であり、また映像表示装置の組み立てコストが増加するおそれがある。
【００９１】
本実施の形態に示す映像表示装置１では、１つの光源基板２０に、複数の発光素子２１と複数の第一ドライバ素子２３および第二ドライバ素子２２とが搭載される。そのため、基板やケーブルを削減することができ、映像表示装置１の小型化、薄型化、および組み立てコストの軽減が可能になる。
【００９２】
映像表示装置１では、発光素子２１に、複数のＬＥＤ素子を直列に接続して構成された高電圧ＬＥＤを用いてもよい。高電圧ＬＥＤを用いることで、光源基板２０では、高電圧ＬＥＤでないＬＥＤ（低電圧ＬＥＤ）を用いた場合と比較して、発光素子２１の駆動電圧を上げることができる。これにより、光源基板２０では、駆動電流の増加を抑制しつつ、より高い発光輝度を得ることができるので、ドライバ素子での発熱を抑制することができる。
【００９３】
放熱に関する設計が困難である等の理由により、ＬＥＤとドライバ素子とを１つの基板に搭載することが困難な場合がある。しかし、映像表示装置１では、発光素子２１に高電圧ＬＥＤを用いることで、１つの光源基板２０に、複数の発光素子２１と複数の第一ドライバ素子２３および第二ドライバ素子２２とを搭載することができる。
【００９４】
また、映像表示装置１では、反射シート３０に、互いに隣り合う発光素子２１の間を仕切る中空の隔壁部３１を形成し、隔壁部３１内に第一ドライバ素子２３および第二ドライバ素子２２を格納している。
【００９５】
ドライバ素子等により反射シート３０に不要なしわや膨らみ等が生じると、領域７１内に輝度むらが発生する可能性がある。しかし、映像表示装置１では、隔壁部３１により反射シート３０の背面側に設けられた空間に第一ドライバ素子２３および第二ドライバ素子２２が格納されるので、それらのドライバ素子と反射シート３０とが干渉して輝度むらが発生することを防止できる。このように、映像表示装置１では、隔壁部３１内の空間を有効に活用して、第一ドライバ素子２３および第二ドライバ素子２２を光源基板２０に搭載することができる。
【００９６】
また、映像表示装置１では、互いに隣り合う領域７１が隔壁部３１によって隔てられるので、互いに隣り合う発光素子２１によって照明される領域７１間での相互の光漏れが低減される。これにより、各領域７１の発光素子２１による明るさの精度をより高めることができるので、より正確な輝度で表示パネル７０を照明できる。
【００９７】
また、映像表示装置１では、隔壁部３１は、互いに隣り合う発光素子２１によって照明される領域７１の境界上に、その境界上の一部を除外して形成されている。そして、フラッタ４０を支持するサポートピン３６は、反射シート３０における隔壁部３１の形成が除外された部分を貫通して、ベースプレート１０に取り付けられている。そのため、領域７１内にサポートピン３６の影が出にくくなり、サポートピン３６が領域７１における輝度低下の原因になることが防止される。
【００９８】
また、互いに隣り合う領域７１の境界の中央部分は、発光素子２１に相対的に近いため、相対的に明るい。そして、映像表示装置１では、サポートピン３６が、その中央部分（略中央部分）に設けられているので、発光素子２１から相対的に遠く相対的に暗い当該境界の端部にサポートピン３６が設けられる場合と比べて、サポートピン３６による輝度低下が目立ちにくい。
【００９９】
以上説明したように、本実施の形態によれば、独立して調光可能な複数の発光素子を有する映像表示装置において、映像表示装置の小型化、薄型化、および組み立てコストの軽減が可能になる。
【０１００】
（実施の形態２）
次に、図１０および図１１を参照しながら、実施の形態２について説明する。
【０１０１】
実施の形態２に示す映像表示装置１（図示せず）は、実施の形態１に示した映像表示装置１と実質的に同じものであるが、実施の形態１に開示されていない構成をさらに有する。以下では、実施の形態１で説明した事項については適宜説明を省略し、実施の形態１で開示されていない構成を主に説明する。
【０１０２】
［２−１．構成］
実施の形態２には、他の基板との電気的な接続をケーブルを介して行う構成を光源基板２０に設けた映像表示装置１を開示する。実施の形態２では、実施の形態１の映像表示装置１の構成に加えて、適切なコネクタを選択してケーブルを接続できる構成を光源基板２０が備えている。
【０１０３】
なお、以下の説明では、実施の形態１に示した映像表示装置１が備える構成要素と実質的に同じ構成要素については、その構成要素と同じ符号を付与して説明を省略する。
【０１０４】
光源基板２０の背面には、ケーブルを接続するための複数のコネクタが設けられている。当該コネクタは、複数の光源基板２０間でケーブルを介して信号や電力を分配するときに用いられる。この分配については後述する。
【０１０５】
図１０は、実施の形態２における映像表示装置１において光源基板２０に設けられるコネクタの配置の一例を模式的に示す平面図である。なお、図１０には、光源基板２０の背面側の平面図を示している。
【０１０６】
図１０に示すように、光源基板２０は、信号用入力コネクタ２６ａ、信号用入力コネクタ２６ｂ、信号用出力コネクタ２７ａ、信号用出力コネクタ２７ｂ、電源用入力コネクタ２８ａ、電源用入力コネクタ２８ｂ、電源用出力コネクタ２９ａ、および電源用出力コネクタ２９ｂ、を有する。これらのコネクタは、光源基板２０の背面の互いに異なる位置にそれぞれ配置されている。
【０１０７】
光源基板２０は、信号処理基板９２または他の光源基板２０から、信号用入力コネクタ２６ａまたは信号用入力コネクタ２６ｂに入力される制御信号を、光源基板２０に搭載されたドライバ素子に分配するとともに、信号用出力コネクタ２７ａおよび信号用出力コネクタ２７ｂの両方に出力（以下、「スルー出力」ともいう）するように設けられた配線を有する（図示せず）。
【０１０８】
したがって、光源基板２０は、信号処理基板９２または他の光源基板２０から、信号用入力コネクタ２６ａおよび信号用入力コネクタ２６ｂのいずれか一方に制御信号が入力されると、その制御信号は、信号用出力コネクタ２７ａおよび信号用出力コネクタ２７ｂの両方からスルー出力される。なお、その制御信号は、各発光素子２１に対応する各領域７１での映像の明るさを表す信号である。光源基板２０では、複数の発光素子２１の各々が、第一ドライバ素子２３および第二ドライバ素子２２により、その制御信号によって表される明るさ（映像の対応領域内の明るさ）に応じた輝度で発光するように駆動（調光）される。
【０１０９】
また、光源基板２０は、電源基板９３または他の光源基板２０から、電源用入力コネクタ２８ａまたは電源用入力コネクタ２８ｂに入力される電力を、光源基板２０に搭載された各素子に分配するとともに、電源用出力コネクタ２９ａおよび電源用出力コネクタ２９ｂにスルー出力するように設けられた配線を有する（図示せず）。
【０１１０】
したがって、光源基板２０は、電源基板９３または他の光源基板２０から、電源用入力コネクタ２８ａおよび電源用入力コネクタ２８ｂのいずれか一方に電力が入力されると、その電力は電源用出力コネクタ２９ａおよび電源用出力コネクタ２９ｂの両方からスルー出力される。各光源基板２０では、その電力を用いて複数の発光素子２１のそれぞれが駆動される。
【０１１１】
このように、実施の形態２に示す光源基板２０は、信号または電力を分配するための複数のコネクタを、互いに異なる位置に有している。そのため、実施の形態２に示す映像表示装置１では、光源基板２０において、例えば、他の部材が配置されているために使用できないコネクタを避けて他の使用可能なコネクタを使用する等、部材の配置位置等に応じて適切にコネクタを選択して、使用することができる。したがって、この映像表示装置１では、例えば、ベースプレート１０に複数の光源基板２０を取り付けるときに、その取り付け位置によって使用可能なコネクタが異なっている場合でも、互いに同じ構成の複数の光源基板２０を用いることができる。これにより、実施の形態２に示す映像表示装置１では、互いに同じ構成の複数の光源基板２０を用いて（すなわち、基板の共通化による）コスト削減を図ることができる。
【０１１２】
実施の形態２に示すこのような構成は、例えば、複数の光源基板２０を互いに電気的に連結（カスケード接続）してバックライトを構成する場合に適している。
【０１１３】
図１１は、実施の形態２における映像表示装置１においてバックライトを構成する複数の光源基板２０の接続の一例を模式的に示す平面図である。
【０１１４】
図１１には、一例として１６個の光源基板２０を取り付けたベースプレート１０の背面側の平面図を示している。光源基板２０は、ベースプレート１０の前面に取り付けられているので、図１１では、光源基板２０の取り付け位置を破線で示している。なお、ベースプレート１０に取り付けられる光源基板２０の数は何ら１６個に限定されない。
【０１１５】
図１１に破線で示すように、映像表示装置１が有する複数の光源基板２０は、ベースプレート１０上に、マトリクス状に配列されている。具体的には、各光源基板２０は、ベースプレート１０上に、第一方向に沿って配置され、かつ第一方向に直交する第二方向に沿って配置されている。そして、ベースプレート１０上に、マトリクス状に配列された複数の光源基板２０は、図１１に示すようにケーブル１４またはケーブル１５によって互いに電気的に連結（カスケード接続）されている。すなわち、第一方向に配列された光源基板２０および第二方向に配列された光源基板２０の少なくとも一方は、カスケード接続されている。
【０１１６】
なお、第一方向は、ベースプレート１０の１辺（例えば長辺）に並行な方向であってもよく、第二方向は、ベースプレート１０の他辺（例えば短辺）に並行な方向であってもよい。また、それらは互いに逆であってもよい。
【０１１７】
図１１に示すように、ベースプレート１０には、背面の上端に補強梁１１が設けられ、背面の下端に補強梁１２が設けられている。ベースプレート１０には、光源基板２０の所定のコネクタを、他の基板（信号処理基板９２、または電源基板９３、または他の光源基板２０）にケーブルを介して電気的に接続できるようにするための複数の開口１３が設けられている。また、補強梁１１には、ベースプレート１０に設けられた複数の開口１３のうちの所定の１つと実質的に同じ位置に設けられ、１つの光源基板２０（例えば、光源基板２０ａ）の所定のコネクタ（例えば、信号用入力コネクタ２６ａ）を他の基板（例えば、信号処理基板９２）にケーブルを介して電気的に接続できるようにするための開口１３ａが設けられている。そして、各光源基板２０の背面に設けられた各コネクタは、ベースプレート１０に設けられた開口１３を通して、または、開口１３および補強梁１１に設けられた開口１３ａを通して、ベースプレート１０の背面側に露出している。これにより、各光源基板２０は、互いのコネクタを、ベースプレート１０の背面側を通るケーブル１４またはケーブル１５によって電気的に接続することができる。
【０１１８】
そして、実施の形態２に示す映像表示装置１では、１６個の光源基板２０が、ケーブル１４およびケーブル１５で互いに電気的に接続されて、バックライトを構成している。なお、図１１では、説明を容易にするために、上段２列の７個の光源基板２０に、符号２０ａ〜２０ｇを付与している。
【０１１９】
具体的には、図１１に示すように、各光源基板２０の信号用出力コネクタ２７ｂは、ケーブル１４により、図面における左隣の光源基板２０の信号用入力コネクタ２６ｂに電気的に接続されている。ただし、図面における右端の４個の光源基板２０では、各光源基板２０の信号用出力コネクタ２７ａは、ケーブル１４により、図面における直下の光源基板２０の信号用入力コネクタ２６ａに電気的に接続されている。また、図面における右上端の光源基板２０ａの信号用入力コネクタ２６ａは、ケーブルにより信号処理基板９２に電気的に接続されている。
【０１２０】
これにより、信号処理基板９２から供給される制御信号は、光源基板２０ａの信号用入力コネクタ２６ａに入力される。この制御信号は、光源基板２０ａの信号用出力コネクタ２７ａおよび信号用出力コネクタ２７ｂにスルー出力され、ケーブル１４を介して、光源基板２０ｃの信号用入力コネクタ２６ａおよび光源基板２０ｂの信号用入力コネクタ２６ｂのそれぞれに入力される。そして、上述した構成に基づき、制御信号は、ケーブル１４を通して１つの光源基板２０から他の光源基板２０に分配される。同様の分配が繰り返されることで、信号処理基板９２から供給される制御信号は、映像表示装置１が有するすべての光源基板２０に分配される。なお、図１１では、制御信号が分配される経路を一点鎖線で示す。
【０１２１】
電源基板９３から供給される電力は、図１１で左端に配置された４個の光源基板２０に入力される。ただし、図１１で最上段に配置された４個の光源基板２０（光源基板２０ａ、２０ｂ、２０ｄ、２０ｆ）に関しては、補強梁１１により電源用入力コネクタ２８ｂおよび電源用出力コネクタ２９ｂが使用できない。そこで、電源基板９３から供給される電力は、左端に配置された４個のうちの最上段に配置された光源基板２０ｄに関しては、補強梁１１により使用できない電源用入力コネクタ２８ｂを避けて電源用入力コネクタ２８ａに入力され、光源基板２０ｅを含む他の３個の光源基板２０に関しては、電源用入力コネクタ２８ｂに入力される。この電力は、光源基板２０ｄでは、補強梁１１により使用できない電源用出力コネクタ２９ｂを避けて電源用出力コネクタ２９ａにスルー出力され、ケーブル１５を介して、図面における右隣に配置された光源基板２０ｆの電源用入力コネクタ２８ａに入力される。光源基板２０ｅを含む他の３個の光源基板２０では、電力は、電源用出力コネクタ２９ｂにスルー出力され、ケーブル１５を介して、図面におけるそれぞれの右隣に配置された光源基板２０の電源用入力コネクタ２８ｂに入力される。このようにして、電力は、１つの光源基板２０から他の光源基板２０に分配される。同様の分配が繰り返されることで、電源基板９３から供給される電力は、映像表示装置１が有するすべての光源基板２０に分配される。なお、図１１では、電力が分配される経路を二点鎖線で示す。
【０１２２】
映像表示装置１が有する光源基板２０は、このようにして分配された制御信号および電力によって動作し、複数の発光素子２１の各々は、分配された制御信号によって表される明るさ（映像の対応領域内の明るさ）に応じた輝度で発光するように駆動（調光）される。
【０１２３】
なお、図１１には、第一方向に配列された光源基板２０同士がカスケード接続されている構成例を示したが、第二方向に配列された光源基板２０同士がカスケード接続されてもよい。
【０１２４】
［２−２．効果等］
以上のように、本実施の形態において、映像表示装置は、複数の光源基板を備えてもよい。複数の光源基板は、第一方向に沿って配列され、かつ第一方向に直交する第二方向に沿って配列されてもよい。
【０１２５】
また、映像表示装置において、第一方向に配列される光源基板および第二方向に配列される光源基板の少なくとも一方は、カスケード接続されていてもよい。
【０１２６】
なお、映像表示装置１は映像表示装置の一例である。光源基板２０および光源基板２０ａ〜２０ｇは、複数の光源基板の一例である。ベースプレート１０の長辺に並行な方向は、第一方向の一例である。ベースプレート１０の短辺に並行な方向は、第二方向の一例である。図１１に示した複数の光源基板２０を互いに連結した構成は、複数の光源基板のカスケード接続の一例である。
【０１２７】
以上のように構成された映像表示装置１では、複数の光源基板２０を互いに電気的に連結（カスケード接続）することにより、接続に必要なケーブルを削減することができる。
【０１２８】
また、光源基板２０では、信号または電力を分配する複数のコネクタを互いに異なる位置に設けることで、例えば、他の部材（例えば、補強梁１１等）が配置されているために使用できないコネクタを避けて他の使用可能なコネクタを使用する等、部材の配置位置等に応じて適切にコネクタを選択して使用することが可能である。
【０１２９】
以上説明したように、本実施の形態によれば、独立して調光可能な複数の発光素子を有する映像表示装置において、映像表示装置の小型化、薄型化、および組み立てコストの軽減が可能になる。
【０１３０】
（他の実施の形態）
以上のように、本出願において開示する技術の例示として、実施の形態１および２を説明した。そのために、添付図面および詳細な説明を提供した。
【０１３１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３２】
また、上述の実施の形態は、本開示における技術を例示するためのものであるから、特許請求の範囲またはその均等の範囲において種々の変更、置き換え、付加、省略などを行うことができる。また、上記実施の形態１および２で説明した各構成要素を組み合わせて、新たな実施の形態とすることも可能である。
【０１３３】
なお、上述の説明における各部材の配置位置や形状等において、目的とする効果を得られる範囲での誤差やばらつきは許容される。
【産業上の利用可能性】
【０１３４】
本開示は、映像表示装置に適用可能である。具体的には、テレビジョン受像機、映像録画再生装置、またはコンピュータディスプレイ装置等に、本開示は適用可能である。
【符号の説明】
【０１３５】
１    映像表示装置
１ａ    筐体
１０    ベースプレート
１１，１２    補強梁
１３，１３ａ    開口
１４，１５    ケーブル
２０，２０ａ，２０ｂ，２０ｃ，２０ｄ，２０ｅ，２０ｆ，２０ｇ    光源基板
２１    発光素子
２２    第二ドライバ素子
２３    第一ドライバ素子
２４    開口
２５    ビス孔
２６ａ，２６ｂ    信号用入力コネクタ
２７ａ，２７ｂ    信号用出力コネクタ
２８ａ，２８ｂ    電源用入力コネクタ
２９ａ，２９ｂ    電源用出力コネクタ
３０    反射シート
３１    隔壁部
３２，３３    開口
３５    接着テープ
３６    サポートピン
４０    フラッタ
４１，４１Ａ    孔
５０    光学シート
６０    モールドフレーム
７０    表示パネル
７１    領域
８０    ベゼル
９１    接続端子基板
９２    信号処理基板
９３    電源基板
【手続補正２】
【補正対象書類名】特許請求の範囲
【補正対象項目名】全文
【補正方法】変更
【補正の内容】
【特許請求の範囲】
【請求項１】
映像信号に基づいて映像を表示する表示パネルと、
前記表示パネルの背面側に配置される光源基板と、
前記光源基板の前記表示パネル側の面に取り付けられ、前記表示パネルに光を照射する複数の発光素子と、
互いに隣り合う前記発光素子の間を仕切り前記表示パネルに向かって膨出する隔壁部が形成され、前記光源基板の前記表示パネル側の面を前記発光素子を避けて覆う反射シートと、
前記隔壁部により囲まれる前記光源基板の前記表示パネル側の面に取り付けられ、複数の前記発光素子の各々を駆動するドライバ素子と、を備える、
映像表示装置。
【請求項２】
前記反射シートは、ポリプロピレンにより形成される、
請求項１に記載の映像表示装置。
【請求項３】
前記隔壁部は、頂上部から前記光源基板に向かって徐々に間隔が拡がる二つの傾斜面部を備え、
一方の前記傾斜面部に対する他方の前記傾斜面部の角度は、４５度より大きく、５５度以下の範囲から選定される、
請求項１に記載の映像表示装置。
【請求項４】
当該映像表示装置は、複数の前記光源基板を備え、
複数の前記光源基板は、第一方向に沿って配列され、かつ、前記第一方向に直交する第二方向に沿って配列され、
１枚の前記反射シートは、複数の前記光源基板を覆う、
請求項１に記載の映像表示装置。
【手続補正３】
【補正対象書類名】図面
【補正対象項目名】全図
【補正方法】変更
【補正の内容】
【図１】
2017038081.tif 000014
【図２】
2017038081.tif 000015
【図３】
2017038081.tif 000016
【図４】
2017038081.tif 000017
【図５】
2017038081.tif 000018
【図６】
2017038081.tif 000019
【図７】
2017038081.tif 000020
【図８】
2017038081.tif 000021
【図９】
2017038081.tif 000022
【図１０】
2017038081.tif 000023
【図１１】
2017038081.tif 000024
【国際調査報告】
2017038081.tif 000025
2017038081.tif 000026
2017038081.tif 000027
2017038081.tif 000028